(57)【特許請求の範囲】
【請求項１】
カード状の記録媒体を積載して収容する収容部とこの収容部の下部に形成された前記記録媒体の取出口とこの取出口の上辺の一部を上方に向けて切り欠いた切欠部とを有するカートリッジと、
このカートリッジを着脱自在なカートリッジ受け部と、
このカートリッジ受け部に設けられ、前記カートリッジ受け部に前記カートリッジを装着した状態で、前記カートリッジの外側から前記切欠部を通じて前記カートリッジの収容部内に頂部を突出させると共にこの頂部から前記切欠部の下の取出口内へ入る形で傾斜面を形成した山状の突起部と
を具備したことを特徴とする記録媒体取出装置。
【請求項２】
カード状の記録媒体を積載して収容する収容部とこの収容部の下部側面に形成された前記記録媒体の取出口とこの取出口の上辺の一部を上方に向けて切り欠いた切欠部とを有するカートリッジと、
このカートリッジを着脱自在なカートリッジ受け部と、
このカートリッジ受け部に設けられ、前記カートリッジ受け部に前記カートリッジを装着した際に、前記カートリッジの外側から前記切欠部を通じて前記カートリッジの収容部内に頂部が突出すると共にこの頂部から前記切欠部の下の取出口内へ至る間に傾斜面を形成する山状の突起部と
を具備したことを特徴とする記録媒体取出装置。
【発明の詳細な説明】
【０００１】
【発明の属する技術分野】
本発明は、例えば自動改札装置などに利用されるプリペイドカードなどの記録媒体を収容する記録媒体取出装置に関する。
【０００２】
【従来の技術】
図４は従来のカード取出装置を示す図である。
【０００３】
同図に示すように、従来のカード取出装置は、カード状の記録媒体、例えばプリペイドカードＡ（以下カードＡと称す）などを積載して収容したカートリッジ４１と、このカートリッジ４１を着脱自在なカートリッジ受け部２と、このカートリッジ受け部２にセットされたカートリッジ４１からカードを取り出す取出機構と、この取出機構を制御する制御部３とから構成されている。
【０００４】
カートリッジ受け部２には、カード分離爪４３がビスなどで取り付けられている。カード分離爪４３は高さ調整を行い、カートリッジ受け部２の下部に設けられているカードＡを取り出すための開口の間口をカード１枚がぎりぎり通過するよう調整した上でビスなどで取り付けられている。
【０００５】
取出機構は、カートリッジ受け部２に軸支されたアクチュエータ５と、このアクチュエータ５に回転自在に取り付けられたカード取り込み用の取り込みローラ６と、この取り込みローラ６を回転させるモータ７と、アクチュエータ５の一端を矢印Ｚ方向に移動させるソレノイド８と、取り込みローラ６によって取り込まれたカードＡを１枚づつ取り出すための間口をカード分離爪４３とで作るベアリング９と、このベアリング９により取り出されたカードＡを上下から挟持してモータ７の駆動力で搬送する搬送系（搬送ローラ１０およびピンチローラ１１）と、カードＡが搬送系へ渡されたか否かを検知するセンサ１２とから構成されている。センサ１２の検出端はカード搬送路にかかる位置にＯＦＦ方向へ常に付勢されており、カードＡによって押されてＯＮ方向へ移動し、カードＡの通過で元の位置へ戻る。
【０００６】
また、図５に示すように、カートリッジ４１には、内部に収容されたカードＡを取り出すための長方形状の取出口５１が設けられている。
【０００７】
図６に示すように、カード分離爪４３は、カートリッジ４１とカートリッジ受け部２との間に保持する厚みの段部６１と、この段部６１の下に付属する形で設けられた傾斜面を持つ段部６２と、カートリッジ受け部２にカード分離爪４３自体を固定するための固定部６３と、この固定部６３にビスを通すためのビス穴６４とから構成されている。
【０００８】
以下、従来のカード取出装置の動作を説明する。
【０００９】
従来のカード取出装置の場合、カートリッジ１にカードＡを収容した状態で、カートリッジ４１をカートリッジ受け部２にセットすると、カード分離爪４３の段部６１がカートリッジ４１とカートリッジ受け部２との間、つまりカートリッジ４１の外に位置し、段部６２がカートリッジ４１の外側の面位置から取出口の下に突出するようになる。
【００１０】
このセット状態で制御部３がカードＡの取り出し動作を行う場合、まず、制御部３はソレノイド８をＯＮする。
【００１１】
すると、アクチュエータ５の一端がソレノイド８によって引き込まれてアクチュエータ５が軸を中心に回動し、取り込みローラ６を最下部のカードＡの底面に当接させる。
【００１２】
続いて、制御部３がモータ７を回転させると、モータ７の駆動力が取り込みローラ６に伝達されて取り込みローラ６が矢印Ｙ方向に回転し、最下部のカードＡが取り出し方向側へずらされてカートリッジ４１の取出口を通過してカード分離爪４３の下端とベアリング９とで形成された間口を通り、取り出される。
【００１３】
そして、取り出されたカードＡは搬送ローラ１０とピンチローラ１１とで上下から挟持されてモータ７の駆動力で取り出し方向へ取り出される。そして、カードＡの末端がセンサ１２を通過してセンサ１２の検出端がＯＦＦ方向へ戻ると、それを制御部３が検出して、初めのカードＡの取り出し動作を終了する。
【００１４】
ところで、取り込みローラ６が矢印Ｙ方向に回転して最下部のカードＡを取り出す際に、最下部のカードＡと共にその上の数枚のカードＡが上からの重さと互いに重なる面の摩擦力とでさまざまなずれ方をする。例えば数枚のカードＡが同時にずれたり、下のカードＡから順に少しづつずれたりする。
【００１５】
このようなずれを考慮して従来はカード分離爪４３を設けているが、従来の場合、カード分離爪４３はカートリッジ４１の取出口５１部分において、その内壁面よりも壁の厚さだけ奥の外壁面の位置に配置されているため、図４に示すように、まれに、カートリッジ４１の取出口５１の壁の厚み部分（段差部分）と床部分との間に数枚のカードＡが入り込み、この入り込み状態が取り込みローラ６の摩擦力以上にきつくなると、取り込みローラ６にいくら回転力を与えてもカードＡが取り出せなくなることがある。
【００１６】
【発明が解決しようとする課題】
このように従来の記録媒体取出装置では、まれにカートリッジの床部分と取出口の段差部分との間にカード、つまり記録媒体が挟まれて取り出せなくなるという問題があった。
【００１７】
本発明はこのような課題を解決するためになされたもので、カートリッジに収容されている記録媒体を常にスムーズに取り出すことのできる記録媒体取出装置を提供することを目的としている。
【００１９】
【課題を解決するための手段】
上記した目的を達成するために、請求項１記載の発明の記録媒体取出装置は、カード状の記録媒体を積載して収容する収容部とこの収容部の下部に形成された前記記録媒体の取出口とこの取出口の上辺の一部を上方に向けて切り欠いた切欠部とを有するカートリッジと、このカートリッジを着脱自在なカートリッジ受け部と、このカートリッジ受け部に設けられ、前記カートリッジ受け部に前記カートリッジを装着した状態で、前記カートリッジの外側から前記切欠部を通じて前記カートリッジの収容部内に頂部を突出させると共にこの頂部から前記切欠部の下の取出口内へ入る形で傾斜面を形成した山状の突起部とを具備したことを特徴とする。
【００２１】
請求項２の発明の記録媒体取出装置は、カード状の記録媒体を積載して収容する収容部とこの収容部の下部側面に形成された前記記録媒体の取出口とこの取出口の上辺の一部を上方に向けて切り欠いた 切欠部とを有するカートリッジと、このカートリッジを着脱自在なカートリッジ受け部と、このカートリッジ受け部に設けられ、前記カートリッジ受け部に前記 カートリッジを装着した際に、前記カートリッジの外側から前記切欠部を通じて前記カートリッジの収容部内に頂部が突出すると共にこの頂部から前記切欠部の 下の取出口内へ至る間に傾斜面を形成する山状の突起部とを具備したことを特徴とする。
【００２２】
請求項１，３記載の発明の場合、カートリッジの収容部内に頂部を突出させると共にこの頂部から取出口内へ入る形で傾斜する、または取出口内へ至る傾斜面を有する山状の突起部をカートリッジの収容部に設けたことにより、記録媒体を取り出す際に、山状の突起部の斜面に沿って複数枚の記録媒体がずれるようになり、従来のように複数枚の記録媒体が取出口と床部分との間に挟まれたりすることがなくなる。
【００２３】
請求項１，２記載の発明の場合、カートリッジの収容部内に頂部が突出すると共にこの頂部から取出口内へ入る形で傾斜する、または取出口内へ至る傾斜面を有する山状の突起部をカートリッジ受け部に設けたことにより、記録媒体を取り出す際に、山状の突起部の斜面に沿って複数枚の記録媒体がずれるよ うになり、従来のように複数枚の記録媒体が取出口と床部分との間に挟まれたりすることがなくなる。
【００２４】
この結果、カートリッジに収容されている記録媒体を常にスムーズに取り出すことができる。
【００２５】
【発明の実施の形態】
以下、本発明の実施の形態を図面を参照して詳細に説明する。
【００２６】
図１は本発明に係る一つの実施形態のカード取出装置の構成を示す図である。図１に示すように、カード取出装置は、カード状の記録媒体、例えばプリペイドカードＡ（以下カードＡと称す）などを積載して収容したカートリッジ１と、このカートリッジ１を着脱自在なカートリッジ受け部２と、このカートリッジ受け部２に装着（セット）されたカートリッジ１からカードを取り出す取出機構と、この取出機構を制御する制御部３とから構成されている。
【００２７】
カートリッジ受け部２には、カード分離爪４がビスなどで取り付けられている。カード分離爪４は高さ調整を行い、カートリッジ受け部２の下部に設けられているベアリング９とでカードＡを取り出すための間口をカード１枚がぎりぎり通過するよう形成した上でビスなどで取り付けられている。カード１枚の厚さは、通常、 0.5mm±0.2mm 程度であるため、この厚さに合わせる形で間口を調整することが好ましい。
【００２８】
取出機構は、カートリッジ受け部２に軸支されたアクチュエータ５と、このアクチュエータ５に回転自在に取り付けられたカード取り込み用の取り込みローラ６と、この取り込みローラ６を回転させるモータ７と、アクチュエータ５の一端を矢印Ｚ方向に移動させるソレノイド８と、取り込みローラ６によって取り込まれたカードＡを１枚づつ取り出すための間口をカード分離爪４とで作るベアリング９と、このベアリング９により取り出されたカードＡを上下から挟持してモータ７の駆動力で搬送する搬送系（搬送ローラ１０およびピンチローラ１１）と、カードＡが搬送系へ渡されたか否かを検知するセンサ１２とから構成されている。センサ１２の検出端はカード搬送路にかかる位置にＯＦＦ方向へ常に付勢されており、カードＡによって押されてＯＮ方向へ移動し、カードＡの通過で元の位置へ戻る。
【００２９】
また、図２に示すように、カートリッジ１には、複数のカードＡを積載して収容する収容部２０と、この収容部２０の下側に設けられ、収容されたカードＡを取り出すための長方形状の取出口２１と、この長方形状の取出口２１の上辺のほぼ中央部にカード分離爪４の突起部３２を入れ子状態にするための切り欠き部２２とが設けられている。
【００３０】
図３に示すように、カード分離爪４は、カートリッジ１の壁の厚みとほぼ同じ高さの段部３１と、この段部３１よりも高い頂部３２ａとこの頂部３２ａから両肩下がりで段部３１よりも低くなる斜面３２ｂとが形成された山状の突起部３２と、カートリッジ受け部２にカード分離爪４を固定するための固定部３３と、この固定部３３にビスを通すためのビス穴３４とから構成されている。
【００３１】
以下、このカード取出装置の動作を説明する。
【００３２】
このカード取出装置の場合、カートリッジ１にカードＡを収容した状態で、カートリッジ１をカートリッジ受け部２にセットすると、カード分離爪４の山状の突起部３２がカートリッジ１の切り欠き部２２に入れ子状態になり、その頂部３２ａがカートリッジ１の壁面よりも突出し、その斜面３２ｂが滑らかな傾斜を形成して取出口２１内に入りカードＡを徐々に最下部の間口へ導くようになる。
【００３３】
このセット状態でカードＡの取り出し動作が行われる。
この場合、制御部３は、まず、ソレノイド８をＯＮする。
【００３４】
すると、アクチュエータ５の一端がソレノイド８によって引き込まれてアクチュエータ５が軸を中心に回動し、取り込みローラ６を最下部のカードＡの底面に当接させる。
【００３５】
続いて、制御部３がモータ７を回転させると、モータ７の駆動力がベルト（点線）を通じて取り込みローラ６に伝達されて取り込みローラ６が矢印Ｙ方向に回転し、最下部のカードＡとその上に積載されている数枚のカードＡが取り出し方向へ送り出される。
【００３６】
すると、繰り出された数枚のカードＡは、カートリッジ１の壁面に当たるよりも先にカード分離爪４の山状の突起部３２に当たり、その頂部３２ａから斜面３２ｂに沿う。つまり、図１に示したように、数枚のカードＡが段々にずれた状態でカートリッジ１の一方の壁面側に寄る。
【００３７】
そして、一番下のカードＡのみがベアリング９とカード分離爪４の下端との間の間口を通過してカートリッジ１から突出し、カード先端がセンサ１２の検出端をＯＮ方向へ押しながら、さらに搬送ローラ１０とピンチローラ１１に挟まれる。すると、モータ７の駆動力で搬送ローラ１０が回転するのに伴い、カードＡは取り出し方向へ取り出される。
【００３８】
そして、カードＡの末端がセンサ１２を通過してセンサ１２の検出端がＯＦＦ方向へ戻ると、それを制御部３が検出して、２枚目のカードＡの取り出し動作を行うようになる。なお１枚のみのカードＡの取り出し動作の場合、カードＡをセンサ１２が検出してからその検出端がＯＦＦ方向へ戻るのを待たずに、所定時間経過後、例えば数秒後にソレノイド８をＯＦＦするようにしても良い。
【００３９】
このようにこのカード取出装置によれば、カートリッジ１をカートリッジ受け部２にセットすると、カード分離爪４の山状の突起部３２がカートリッジ１の切り欠き部２２に入れ子状態になり、その頂部３２ａがカートリッジ１の壁面よりも突出し、その斜面３２ｂが滑らかな傾斜を形成してカードＡを徐々に最下部の間口へ導くようになるので、カートリッジ１の長方形の取出口２１の端部（壁の厚み部分）と床部分との間で挟まれることがなくなり、数枚のカードＡがなだらかに重なり合ってずれて、最下部のカードＡのみを常にスムーズに取り出すことができるようになる。
【００４０】
なお、上記実施形態では、カートリッジ受け部２にカード分離爪４を設けたものについて説明したが、この他、カード分離爪４という独立した構成ではなく、カートリッジ１が樹脂製などの場合、カートリッジ１自体に直接山状の突起部３２を設けても良い。この場合、切り欠き部２２などが不要になる。
【００４１】
また、上記実施形態では、記録媒体として、プリペイドカードＡなどへの適用を例示したが、この他、円板状のもの、例えばＣＤ−ＲＯＭなどにも適用することができる。また、トランプなどでも良い。
【００４２】
【発明の効果】
以上説明したように本発明によれば、記録媒体を取り出す際に、山状の突起部の斜面に沿って複数枚の記録媒体がずれるようになり、従来のように複数枚の記録媒体が取出口と床部分との間に挟まれたりするようなことがなくなる。
【００４３】
この結果、カートリッジに収容されている記録媒体を常にスムーズに取り出すことができる。
【図面の簡単な説明】
【図１】本発明の一つの実施形態のカード取出装置の構成を示す図である。
【図２】このカード取出装置のカートリッジを示す図である。
【図３】このカード取出装置のカード分離爪を示す図である。
【図４】従来のカード取出装置の構成を示す図である。
【図５】従来のカード取出装置のカートリッジを示す図である。
【図６】従来のカード取出装置のカード分離爪を示す図である。
【符号の説明】
Ａ…プリペイドカード、１…カートリッジ、２…カートリッジ受け部、４…カード分離爪、５…アクチュエータ、６…取り込みローラ、７…モータ、８…ソレノイド、９…ベアリング、１０…搬送ローラ、１１…ピンチローラ、１２…センサ、２１…取出口、２２…切り欠き部、３１…段部、３２…山状の突起部、３２ｂ、３２ｃ…斜面、３３…固定部、３４…ビス穴。
【図１】
0003966981.tif 000002
【図２】
0003966981.tif 000003
【図３】
0003966981.tif 000004
【図４】
0003966981.tif 000005
【図５】
0003966981.tif 000006
【図６】
0003966981.tif 000007